(57)【要約】    【課題】  無線タグ用紙使用の画像形成装置の、無線タグ利用自動制御の使い勝手の向上。    【解決手段】  用紙置き位置から作像手段に用紙を送給し作像した用紙を排出する用紙給送手段；作像に送給する用紙の無線タグの保持情報を読み取るタグ情報読取手段７０；作像を無線タグ付き用紙に制限する用紙制限の設定，解除を入力する手段２４０；および、用紙制限を設定した場合は、タグ情報読取手段による無線タグの読取りがない用紙が作像に送給時は作像を停止する、作像制御手段１３１；を備える。設定個数の無線タグの読取りがないとき、または、設定位置の無線タグの読取りがないときに、作像を停止する。用紙ＰＲ１，ＰＲ３は、短辺長ｂ，長辺長ａであって、短辺が延びる方向で（ａ−ｂ）／２の長さ分短辺の中央位置から離れた、該中央位置の両側の位置に、無線タグＴｘ１１，Ｔｘ１３／Ｔｘ３１，Ｔｘ３３を有す。  【選択図】  図２
2005208098.tif 000002
【特許請求の範囲】
【請求項１】
用紙上に可視画像を形成する作像手段；
用紙置き位置から前記作像手段に用紙を送給し該作像手段が画像を形成した用紙を排出する用紙給送手段； 
前記作像手段に送給する用紙の無線タグの保持情報を読み取るタグ情報読取手段；
作像を無線タグ付き用紙に制限する用紙制限の設定，解除を入力する手段；および、
前記用紙制限が設定されている場合は、前記タグ情報読取手段による無線タグの読取りがない用紙が前記用紙給送手段により前記作像手段に送られるときは前記作像手段による作像を停止する、作像制御手段；
を備える画像形成装置。
【請求項２】
前記作像制御手段は、前記用紙制限が設定されている場合は、前記タグ情報読取手段による、設定個数の無線タグの読取りがないときに、前記作像手段による作像を停止する；請求項１に記載の画像形成装置。
【請求項３】
前記作像手段に送給する用紙上の参照する無線タグの個数を設定する入力手段；を更に備える；請求項２に記載の画像形成装置。
【請求項４】
前記作像制御手段は、前記用紙制限が設定されている場合は、前記タグ情報読取手段による、設定位置の無線タグの読取りがないときに、前記作像手段による作像を停止する；請求項１に記載の画像形成装置。
【請求項５】
前記作像手段に送給する用紙上の参照する無線タグの位置を設定する入力手段；を更に備える；請求項４に記載の画像形成装置。
【請求項６】
前記無線タグ付き用紙は、短辺長ｂ，長辺長ａであって、短辺が延びる方向で（ａ−ｂ）／２の長さ分短辺の中央位置から離れた、該中央位置の両側の位置に、無線タグを有する；請求項１乃至５の何れか１つに記載の画像形成装置。
【発明の詳細な説明】
【技術分野】
【０００１】
本発明は、可視画像を用紙上に形成する画像形成装置に関し、特に、無線タグ付き用紙を作像に用いる画像形成装置に関する。本発明は例えば、プリンタ，複写機およびファクシミリに用いることができる。
【背景技術】
【０００２】
不特定多数の人が使用するオフィスや公共の場に置かれている印刷装置たとえばプリンタ，複写機あるいはファクシミリは、記録紙の補充は誰でも行える。そのため、機器によっては、望ましくない記録紙がセットされる可能性がある。その場合に印刷を実施した場合には、機器にダメージを与える恐れがある。通常の印刷装置は、記録紙がどのような種類であるかは、自動判別は難しい。微小ＩＣチップを用いた微小ＲＦＩＤタグ（Radio Frequency Identification Tag：無線タグ）を埋め込んだ記録紙を使用し、印刷装置が、その記録紙が専用のものであるかどうか判別できるようにして、特定の記録用紙だけに対して印刷できる仕組みを作れば、異質記録紙の装填による機器のダメージを回避することができる。また、記録紙がどの印刷装置で印刷されたのか、後で追跡が可能にすることもできる。
【０００３】
【特許文献１】特開２０００−２９６６５３号公報には、用紙種類，用紙サイズ等の情報を入力済みのＩＣチップを設けた記録媒体をプリンタの印刷用紙に用いて、プリンタにおいてＩＣチップの情報を読み取り、プリンタに指示されている記録媒体の種類およびサイズの情報と、ＩＣチップの情報とを照合して、合致している場合に印刷制御を実行し、一致しない場合は印刷制御を停止し警告を出力する、との提案が記載されている。
【０００４】
【特許文献２】特開２００３−５４０７５号公報は、粉末状の紙質ＩＤチップを埋め込んだ印刷用紙を用いて、プリンタにおいてＩＣチップの情報を読み取り、プリンタの印刷条件をＩＣチップの紙質情報に基づいて自動設定するプリンタを提案している。
【０００５】
【特許文献３】特開２００３−６４５９８号公報は、紙質ＩＤを書込んだ１２８ビットのＲＯＭを備える微小ＩＤチップを、中央部，周縁部あるいはコーナー部に埋め込んだ印刷用紙を提案している。
【０００６】
【特許文献４】特開２００３−５８８５６号公報は、超小型ＩＣチップを紙すきの段階で埋め込み送受信アンテナを導電性インキとして紙面に印刷する、偽造防止紙幣を開示している。
【発明の開示】
【発明が解決しようとする課題】
【０００７】
ＲＦＩＤタグをつけた用紙を用いる画像形成装置は、異質記録紙の装填による機器のダメージを回避することができ、また、記録紙がどの印刷装置で印刷されたのか、後で追跡が可能にすることもできる、という利点があるが、これには、ＲＦＩＤタグの読み取りに信頼性があることが前提になる。一方、ＲＦＩＤタグをつけた用紙は普通紙よりも高価になるので、例えば機器使用者が実質上経営者あるいは専従者に限られるＳＯＨＯ（Small Office, Home Office）では、異質記録紙を不用意に画像形成装置に装填する機会は少なく、ＲＦＩＤタグをつけた用紙を使用する利益は無く経済性が低い場合がある。しかし、異質記録紙の装填を防止したい使用環境になることもあり得る。
【０００８】
本発明は、微小無線タグつき印刷用紙を使用する画像形成装置の、無線タグの情報読み取りに基づく自動制御の使い勝手をよくすることを目的とする。
【課題を解決するための手段】
【０００９】
（１）用紙上に可視画像を形成する作像手段；
用紙置き位置から前記作像手段に用紙を送給し該作像手段が画像を形成した用紙を排出する用紙給送手段； 
前記作像手段に送給する用紙の無線タグの保持情報を読み取るタグ情報読取手段(70)；
作像を無線タグ付き用紙に制限する用紙制限の設定，解除を入力する手段(240)；および、
前記用紙制限が設定されている場合は、前記タグ情報読取手段による無線タグの読取りがない用紙が前記用紙給送手段により前記作像手段に送られるときは前記作像手段による作像を停止する、作像制御手段(131)；
を備える画像形成装置。
【００１０】
なお、理解を容易にするためにカッコ内には、図面に示し後述する実施例の対応要素の符号を、例示として参考までに付記した。以下も同様である。
【発明の効果】
【００１１】
これによれば、無線タグの情報の検出に対する印刷停止を、実行するかどうか操作部から選択設定できる。ユーザ事情に応じた柔軟な対応ができる。
【発明を実施するための最良の形態】
【００１２】
（２）前記作像制御手段は、前記用紙制限が設定されている場合は、前記タグ情報読取手段による、設定個数の無線タグの読取りがないときに、前記作像手段による作像を停止する；上記（１）に記載の画像形成装置。これによれば、用紙１枚あたりの検出する無線タグの数を、用紙の破損や不正にも対応可能な設定数として、無線タグの読取りを確実にできる。
【００１３】
（３）前記作像手段に送給する用紙上の参照する無線タグの個数を設定する入力手段；を更に備える；上記（２）に記載の画像形成装置。これによれば、記録紙の破損や不正にも対応できる読み取り個数を設定できる。ユーザ事情に応じた柔軟な対応ができる。
【００１４】
（４）前記作像制御手段は、前記用紙制限が設定されている場合は、前記タグ情報読取手段による、設定位置の無線タグの読取りがないときに、前記作像手段による作像を停止する；上記（１）に記載の画像形成装置。これによれば、用紙１枚あたりの検出する無線タグの位置を、用紙の破損や不正にも対応可能な設定位置として、無線タグの読取りを確実にできる。
【００１５】
（５）前記作像手段に送給する用紙上の参照する無線タグの位置を設定する入力手段；を更に備える；上記（４）に記載の画像形成装置。これによれば、記録紙の破損や不正にも対応できる読み取り位置を設定できる。ユーザ事情に応じた柔軟な対応ができる。
【００１６】
（６）前記無線タグ付き用紙(PR1,PR3)は、短辺長ｂ，長辺長ａであって、短辺が延びる方向で（ａ−ｂ）／２の長さ分短辺の中央位置から離れた、該中央位置の両側の位置に、無線タグ(Tx11,Tx13/Tx31,Tx33)を有する；上記（１）乃至（５）の何れか１つに記載の画像形成装置。これによれば、長辺が延びる方向の用紙送りモードにおいて、短辺の中央位置の両側の２つの無線タグの一方(Tx11)を読み取る設定のタグ情報読取手段で、用紙が裏返しで送給される場合には２つの無線タグの他方(Tx13)を読み取るので、用紙が裏返しであるか否かに関わり無く、確実に無線タグを読み取ることができる。
【００１７】
（７）前記無線タグ付き用紙(PR1,PR3)は、前記短辺の中央位置の両側の位置の無線タグを一組とする２組のそれぞれ(Tx11,Tx13)(Tx31,Tx33)を、対向２短辺の各縁部に有する；上記（６）に記載の画像形成装置。これによれば、対向２短辺のいずれを先頭にする送給でも、タグ情報読取手段で無線タグを読み取ることができる。
【００１８】
（８）前記無線タグ付き用紙(PR1,PR3)は更に、長辺が延びる方向で（ａ−ｂ）／２の長さ分長辺の中央位置から離れた、該中央位置の両側の位置に、無線タグ(Ty11,Ty13/Ty31,Ty33)を有する；上記（６）又は（７）に記載の画像形成装置。これによれば、短辺が延びる方向の用紙送りモードにおいて、長辺の中央位置の両側にある２つの無線タグの一方(Ty11)を読み取る設定のタグ情報読取手段で、用紙が裏返しで送給される場合には２つの無線タグの他方(Ty13)を読み取るので、用紙が裏返しであるか否かに関わり無く、確実に無線タグを読み取ることができる。
【００１９】
（９）前記無線タグ付き用紙(PR1,PR3)は、前記長辺の両側の位置の無線タグを一組とする２組のそれぞれ(Ty11,Ty13)(Ty31,Ty33)を、対向２長辺の各縁部に有する；上記（８）に記載の画像形成装置。これによれば、対向２長辺のいずれを先頭にする送給でも、タグ情報読取手段で無線タグを読み取ることができる。
【００２０】
（１０）前記無線タグ付き用紙(PR3)は更に、長辺が延びる方向で（ａ−ｂ）の長さ分前記中央位置から離れた、該中央位置の両側の位置に、無線タグ(Ty10,Ty14)を有する；上記（８）又は（９）に記載の画像形成装置。これによれば、センター基準ではなく側端基準で、用紙を長辺が延びる方向に送給するときに短辺の中央位置の両側の２つの無線タグの一方(Tx11)を読み取る設定のタグ情報読取手段で、同じく側端基準で用紙を短辺が延びる方向に送給するときに、前記（ａ−ｂ）の長さ分長辺の中央位置から離れた、該中央位置の両側の位置の無線タグの一方(Ty14)を読み取ることが出来る。
【００２１】
（１１）前記無線タグ付き用紙(PR2,PR4)は、短辺長Ｂ＝ａ，長辺長Ａ＝２ｂであって、短辺が延びる方向で（ａ−ｂ）／２の長さ分短辺の中央位置から離れた、該中央位置の両側の位置に、無線タグ(Tx11,Tx13)を有する；上記（１）乃至（５）の何れか１つに記載の画像形成装置。これによれば、長辺が延びる方向の用紙送りモードにおいて、短辺の中央位置の両側の２つの無線タグの一方(Tx11)を読み取る設定のタグ情報読取手段で、用紙が裏返しで送給される場合には２つの無線タグの他方(Tx13)を読み取るので、用紙が裏返しであるか否かに関わり無く、確実に無線タグを読み取ることができる。
【００２２】
（１２）前記無線タグ付き用紙(PR2,PR4)は、前記短辺の両側の位置の無線タグを一組とする２組のそれぞれ(Tx11,Tx13)(Tx31,Tx33)を、対向２短辺の各縁部に有する；上記（１１）に記載の画像形成装置。これによれば、対向２短辺のいずれを先頭にする送給でも、タグ情報読取手段で無線タグを読み取ることができる。
【００２３】
（１３）前記無線タグ付き用紙(PR4)は更に、短辺が延びる方向で（ａ−ｂ）の長さ分前記中央位置から離れた、該中央位置の両側の位置に、無線タグ(Tx10,Tx14/Tx30,Tx34)を有する；上記（１１）又は（１２）に記載の画像形成装置。これによれば、短辺長ａ，長辺長ｂの用紙(PR3)の長辺が延びる方向の用紙送りモードにおいて短辺の中央位置の両側の２つの無線タグの一方(Tx11)を読み取る設定のタグ情報読取手段で、短辺長Ｂ＝ａ，長辺長Ａ＝２ｂの用紙(PR4)の長辺が延びる方向の用紙送りモードにおいて短辺の長さ方向で短辺の中央位置より（ａ−ｂ）分離れた位置の無線タグ(Tx10)を読み取ることができる。
【００２４】
本発明の他の目的および特徴は、図面を参照した以下の実施例の説明より明らかになろう。
【実施例】
【００２５】
図１に、本発明の一実施例の複合機能フルカラーデジタル複写機の外観を示す。このフルカラー複写機は、大略で、自動原稿送り装置（ＡＤＦ）４００と、操作ボード６１０と、カラースキャナ３００と、カラープリンタ１００と、給紙テーブル２００の各ユニットで構成されている。機内のシステムコントローラ６３０（図４）には、パソコンＰＣが接続したＬＡＮ（Local Area Network）が接続されている。この複写機のシステムコントローラ６３０（図４）は、通信網（インターネット）に接続することができ、該通信網を介して、管理センタの管理サーバと通信してデータを交換することができる。また、機内のファクシミリコントローラＦＣＵ（図４）は、交換機ＰＢＸおよび公衆通信網ＰＮを介して、ファクシミリ通信をすることが出来る。
【００２６】
図２に、図１に示す複写機の機構部の概要を示す。複写機のプリンタ１００には、中央に、無端ベルトである中間転写ベルト１０がある。中間転写ベルト１０は、３つの支持ローラ１４〜１６に掛け廻されており、時計廻りに回動駆動される。第２の支持ローラ１５の左に、画像転写後に中間転写ベルト１０上に残留する残留トナーを除去する中間転写体クリーニング装置１７がある。
【００２７】
第１の支持ローラ１４と第２の支持ローラ１５との間の中間転写ベルト１０には、その移動方向に沿って、ブラック（Ｋ），イエロー（Ｙ），マゼンタ（Ｍ）およびシアン（Ｃ）の、作像プロセス機器である各色作像ユニットがあり、これらがフルカラー作像装置２０を構成している。各色作像ユニットは、それぞれ個別に交換用にユニット化され、プリンタ本体に対して脱着可能に装着されている。各色作像ユニットには、感光体ドラム４０、ならびに、該感光体ドラムを荷電する帯電器，潜像を現像する現像器，クリーニング装置およびその他の周辺機器でなる作像関連機器１８がある。
【００２８】
作像装置２０の上方には、各色作像ユニットの各感光体ドラムに画像形成のためのレーザ光を照射するレーザ露光装置２１がある。これも作像プロセス機器であり、交換用にユニット化されている。
【００２９】
作像プロセス機器であり交換用にユニット化された中間転写ベルト１０の下方には、作像プロセス機器であって交換用にユニット化された２次転写装置２２がある。２次転写装置２２は、２つのローラ２３間に、無端ベルトである２次転写ベルト２４を掛け渡して、中間転写ベルト１０を押し上げて第３の支持ローラ１６に押当てるように配置したものである。この２次転写ベルト２４は、中間転写ベルト１０上の画像を、用紙上に転写する。２次転写装置２２の横には、用紙上の転写画像を定着する定着装置２５があり、トナー像が転写された用紙がそこに送り込まれる。
【００３０】
定着装置２５も作像プロセス機器であって交換用にユニット化されている。定着装置２５は、無端ベルトである定着ベルト２６に加熱，加圧ローラ２７を押し当てたものである。２次転写装置２２および定着装置２５の下方に、表面に画像を形成した直後の用紙を、裏面にも画像を記録するために表裏を反転して送り出すシート反転装置２８がある。このシート反転装置２８も、作像プロセス機器であって、交換用にユニット化されている。
【００３１】
スタートスイッチが押されると、原稿自動搬送装置（ＡＤＦ）４００に原稿があるときは、それをコンタクトガラス３２上に搬送し、そしてスキャナ３００を駆動して、第１キャリッジ３３および第２キャリッジ３４を、読み取り走査駆動する。コンタクトガラス３２に搬送される原稿の無線タグの保持情報は、無線リーダ／ライタモジュール３０で読み取られる。ＡＤＦに原稿が無いときにはコンタクトガラス３２上に手置きの原稿を読むために直ちに、スキャナ３００を駆動し、第１キャリッジ３３および第２キャリッジ３４を、読み取り走査駆動する。そして、第１キャリッジ３３上の光源からコンタクトガラスに光を発射するとともに原稿面からの反射光を第１キャリッジ３３上の第１ミラーで反射して第２キャリッジ３４に向け、第２キャリッジ３４上のミラーで反射して結像レンズ３５を通して読取りセンサであるＣＣＤ３６に結像する。ＣＣＤ３６で得た画像信号に基づいてＫ，Ｙ，Ｍ，Ｃ各色記録データが生成される。
【００３２】
また、スタートスイッチが押されたときに、中間転写ベルト１０の回動駆動が開始されるとともに、作像装置２０の各作像ユニットの作像準備が開始され、そして各色作像ユニットの作像シーケンスが開始されて、各色作像ユニットに各色記録データに基づいて変調された露光レーザが投射され、各色作像プロセスにより、各色トナー像が中間転写ベルト１０上に一枚の画像として、重ね転写される。このトナー画像の先端が２次転写装置２２に進入するときに同時に先端が２次転写装置２２に進入するようにタイミングをはかって用紙が２次転写装置２２に送り込まれ、これにより中間転写ベルト１０上のトナー像が用紙に転写する。トナー像が移った用紙は定着装置２５に送り込まれ、そこでトナー像が用紙に定着する。
【００３３】
定着装置２５で定着処理を受けて排出される用紙は、切換爪５５で排出ローラ５６に案内して排紙トレイ５７上にスタックする。または、切換爪５５でシート反転装置２８に案内して、そこで反転して再び転写位置へと導き、裏面にも画像を記録して後、排出ローラ５６で排紙トレイ５７上に排出する。一方、画像転写後の中間転写ベルト１０上に残留する残留トナーは、中間転写体クリーニング装置１７で除去し、再度の画像形成に備える。
【００３４】
なお、上述の用紙は、給紙テーブル２００の給紙ローラ４２の１つを選択回転駆動し、ペーパーバンク４３に多段に備える給紙カセット４４の１つからシートを繰り出し、分離ローラ４５で１枚だけ分離して給紙路４６に入れ、搬送ローラ４７で搬送してプリンタ１００内の給紙路４８に導き、レジストローラ４９に突き当てて止めてから、前述のタイミングで２次転写装置２２に送り出される。手差しトレイ５１上に用紙を差し込んで給紙することもできる。ユーザが手差しトレイ５１上に用紙を差し込んでいるときには、プリンタ１００が給紙ローラ５０を回転駆動して手差しトレイ５１上のシートの一枚を分離して手差し給紙路５３に引き込み、同じくレジストローラ４９に突き当てて止める。
【００３５】
用紙の先端がレジストローラ４９に達するタイミングの直前に、無線リーダ／ライタモジュール群７０が、用紙に付いた無線タグ（ＲＦＩＤタグ）の情報読み取りを開始する。
【００３６】
図３に、図２に示すプリンタ１００に適合する用紙の数種を示す。図２に示すプリンタ１００は、用紙の中央を用紙搬送路の中央線に合わせて送給するセンター基準（センター合わせ）であるので、それに適合するように、図３の（ａ）に示すＡ４版の用紙ＰＲ１には、その対抗２短辺のそれぞれの縁部の、短辺中央位置に無線タグＴｘ１２，Ｔｘ３２が埋め込まれており、更に、短辺に沿う方向ｘで各無線タグＴｘ１２およびＴｘ３２の両側の（ａ−ｂ）／２の距離に、無線タグＴｘ１１，Ｔｘ１３およびＴｘ３１，Ｔｘ３３が埋め込まれている。ａは、Ａ４版の用紙の短辺長、ｂは長辺長である。長辺方向ｙの中央位置にも、１短辺の一組の無線タグの配置と同様に、もう一組の無線タグＴｘ２１，Ｔｘ２２，Ｔｘ２３が埋め込まれている。
【００３７】
図２に示すプリンタ１００の無線リーダ／ライタモジュール群７０は、図３の（ａ）に示すＡ４版の用紙ＰＲ１を図示姿勢で右から左に向かう方向に、センター基準で送給するとき、レジストローラ４９の直前でそれぞれが無線タグＴｘ１１，Ｔｘ１２およびＴｘ１３の情報を読み取ることができる位置に配設された３個の無線リーダ／ライタモジュール７１，７２および７３（図４）で構成されている。これらの無線リーダ／ライタモジュール７１，７２および７３はそれぞれ、無線タグ（Ｔｘ１１，Ｔｘ２１，Ｔｘ３１），（ｔｘ１２，Ｔｘ２２，Ｔｘ３２）および（Ｔｘ１３，Ｔｘ２３，Ｔｘ３３）の情報を読み取ることができる。
【００３８】
用紙ＰＲ１を９０度回転した姿勢でセンター基準で搬送するときにも無線リーダ／ライタモジュール７１，７２および７３がそれぞれ無線タグを読み取ることができるように、Ａ４版の用紙ＰＲ４の対抗２長辺のそれぞれの縁部の、長辺中央位置に無線タグＴｙ１２，Ｔｙ３２が埋め込まれており、更に、短辺に沿う方向ｘで各無線タグＴｙ１２およびＴｙ３２の両側の（ａ−ｂ）／２の距離に、無線タグＴｙ１１，Ｔｙ１３およびＴｙ３１，Ｔｙ３３が埋め込まれている。短辺方向ｘの中央位置にも、１長辺の一組の無線タグの配置と同様に、もう一組の無線タグＴｙ２１，Ｔｙ２２（Ｔｘ２２と同一），Ｔｙ２３が埋め込まれている。
【００３９】
図２に示すプリンタ１００は、Ａ４版の用紙ＰＲ１は縦送り（長辺に沿う方向：長辺が搬送方向と平行）および横送り（短辺に沿う方向：短辺が搬送方向と平行）が可能であるが、Ａ３版の用紙は縦送りはできるが、横送りはできないものである。図３の（ｂ）に示すＡ３版の用紙ＰＲ２は、長辺長Ａ＝２ｂ、短辺長Ｂ＝ａである。このＡ３版の用紙ＰＲ２にも、３個の無線リーダ／ライタモジュール７１，７２および７３で無線タグ読み取りができるように、その対抗２短辺のそれぞれの縁部の、短辺中央位置に無線タグＴｘ１２，Ｔｘ３２が埋め込まれており、更に、短辺に沿う方向ｘで各無線タグＴｘ１２およびＴｘ３２の両側の（ａ−ｂ）／２の距離に、無線タグＴｘ１１，Ｔｘ１３およびＴｘ３１，Ｔｘ３３が埋め込まれている。長辺方向ｙの中央位置にも、１短辺の一組の無線タグの配置と同様に、もう一組の無線タグＴｘ２１，Ｔｘ２２，Ｔｘ２３が埋め込まれている。
【００４０】
図３の（ｃ）に示すＡ４版の用紙ＰＲ３は、上述の３個の無線リーダ／ライタモジュール７１，７２および７３を同様に備えるが用紙搬送機構が用紙の一辺を用紙搬送路の基準端線に合わせて送給する側端基準（側端合わせ）のプリンタにも適合するように、用紙ＰＲ１の無線タグに加えて、長辺が延びる方向で（ａ−ｂ）の長さ分長辺の中央位置から離れた、該中央位置の両側の位置にも、無線タグ（Ｔｙ１０，Ｔｙ１４），（Ｔｙ２０，Ｔｙ２４）および（Ｔｙ３０，Ｔｙ３４）を埋め込んだものである。この用紙ＰＲ３を用いると、センター基準ではなく側端基準で、用紙を縦送りするときに短辺の３つの無線タグＴｘ１１，Ｔｘ１２，Ｔｘ１３の情報を読み取る無線リーダ／ライタモジュール７１，７２および７３で、同じく側端基準で用紙ＰＲ３を横送り送給するときに、前記（ａ−ｂ）の長さ分長辺の中央位置から離れた該中央位置の両側の位置の無線タグの一方Ｔｙ１０、および、それと並んだＴｙ１１およびＴｙ１２の情報を読み取ることができる。
【００４１】
図３の（ｄ）に示すＡ３版の用紙ＰＲ４は、上述の３個の無線リーダ／ライタモジュール７１，７２および７３を同様に備えるが用紙搬送機構が用紙の一辺を用紙搬送路の基準端線に合わせて送給する側端基準（側端合わせ）のプリンタにも適合するように、用紙ＰＲ２の無線タグに加えて、短辺Ｂが延びる方向で（ａ−ｂ）の長さ分短辺Ｂの中央位置から離れた、該中央位置の両側の位置にも、無線タグ（Ｔｘ１０，Ｔｘ１４），（Ｔｘ２０，Ｔｘ２４）および（Ｔｘ３０，Ｔｘ３４）を埋め込んだものである。この用紙ＰＲ４を用いると、センター基準ではなく側端基準で、Ａ４用紙を縦送りするときに短辺の３つの無線タグＴｘ１１，Ｔｘ１２，Ｔｘ１３の情報を読み取る無線リーダ／ライタモジュール７１，７２および７３で、同じく側端基準で用紙ＰＲ４を縦送り送給するときに、前記（ａ−ｂ）の長さ分長辺の中央位置から離れた該中央位置の両側の位置の無線タグの一方Ｔｘ１０、および、それと並んだＴｘ１１およびＴｘ１２の情報を読み取ることができる。
【００４２】
図２に示すプリンタ１００は、用紙搬送機構がセンター基準であるので、図３に示す用紙ＰＲ１〜ＰＲ４のいずれも該プリンタ１００に適合する。なお、いずれの用紙も、上述の無線タグとは別の位置に追加の無線タグが備わっていてもよい。
【００４３】
図４に、図１に示す複写機の、画像読み取り，画像処理，画像蓄積および画像形成、のシステム構成を示す。カラー原稿スキャナ３００の、原稿を光学的に読み取る読み取りユニット１１は、原稿に対する原稿照明光源の走査を行い、ＳＢＵ（センサボードユニット）のＣＣＤ３６に原稿像を結像する。原稿像すなわち原稿に対する光照射の反射光をＣＣＤ３６で光電変換してＲ，Ｇ，Ｂ画像信号を生成し、ＳＢＵ上でＲＧＢ画像データに変換しかつシェーディング補正し、そして出力Ｉ／Ｆ（インターフェイス）１２で画像データバスを介して画像データ処理器ＩＰＰ(Image Processing Processor；以下では単にＩＰＰと記述）に送出する。
【００４４】
ＩＰＰは、分離生成（画像が文字領域か写真領域かの判定：像域分離），地肌除去，スキャナガンマ変換，フィルタ，色補正，変倍，画像加工，プリンタガンマ変換および階調処理を行う。ＩＰＰは画像処理をおこなうプログラマブルな演算処理手段である。スキャナ３００からＩＰＰに転送された画像データは、ＩＰＰにて光学系およびデジタル信号への量子化に伴う信号劣化（スキャナ系の信号劣化）を補正され、フレームメモリ６０１に書き込まれる。
【００４５】
システムコントローラ６３０は、スキャナアプリケーション，ファクシミリアプリケーション，プリンタアプリケーションおよびコピーアプリケーション等の複数アプリケーションの機能を有し、システム全体の制御を行う。操作パネル制御装置６３１は、操作ボード６１０の入力を解読して本システムの設定とその状態内容を表示する装置である。画像データバス／制御コマンドバスは、画像データと制御コマンドが時分割で転送されるバスである。
【００４６】
システムコントローラ６３０のＣＰＵ６０５は、システムコントローラ６３０の制御を行う。ＲＯＭ６０４にはシステムコントローラ６３０の制御プログラムが書かれている。ＲＡＭ６０３は、ＣＰＵ６０５が使用する作業用メモリである。ＮＶＲＡＭ６０２は、不揮発性メモリであり、システム全体の情報の保管を行う。
【００４７】
外部機器通信制御６０６は、画像読み取り，画像蓄積或いは画像印刷を要求する外部機器（たとえば同種の複写機，画像スキャナ，パソコン，プリンタ，ファクシミリ，ドキュメントサーバ）との通信制御を行うものであり、ネットワークに接続するための物理Ｉ／Ｆの制御を行う。ネットワーク接続された外部機器通信制御６０６がネットワークからデータを受信すると、電気的な信号より通信データの内容だけシステムＩ／Ｆ６０７に送る。システムＩ／Ｆ６０７では、規定されたプロトコルに従い受信データを論理変換しＣＰＵ６０５に送る。ＣＰＵ６０５では、論理変換された受信データを判断し処理を行う。また、ＣＰＵ６０５が、ネットワークにデータを送信する時は、受信とは逆の手順で、システムＩ／Ｆ６０７、外部機器通信制御６０６に送信データが伝達され、電気信号としてネットワーク上に送出される。
【００４８】
システムＩ／Ｆ６０７は、ＣＰＵ６０５の命令によりシステム内で処理される、原稿読み取りデータ，ファクシミリ受信データ，パソコンのドキュメントデータ（印刷命令）の転送制御、ならびに、パソコンのドキュメントデータの印刷用のイメージデータ（画像データ）への変換と転送を行う。ワークメモリ６００は、プリンタで使用する画像展開（ドキュメントデータからイメージデータへの変換）の作業用メモリである。フレームメモリ６０１は、電源が供給され続けている状態で即座に印刷される読み取り画像や書込み画像のイメージデータを、一時蓄える作業用メモリである。
【００４９】
ＨＤＤＣ６５０は、システムのアプリケーションプログラムならびにプリンタ１００の作像プロセス機器の機器付勢情報を格納するアプリケーションデータベース、ならびに、読み取り画像や書き込み画像のイメージデータ、すなわち画像データ、ならびにドキュメントデータを蓄える画像データベースとして用いられるハードディスクＨＤＤとそのコントローラである。イメージデータおよびドキュメントデータは、符号化されたりドットイメージであったりする。ＦＩＦＯバッファメモリ６０９は、入力画像をフレームメモリ６０１へ書込む時のデータ転送速度変換を行う。すなわち、転送元と転送先のデータ送出／受入れタイミングの差，転送単位のデータ量の相違，転送速度差等を吸収するデータの一時蓄積を行い、転送元の転送タイミングおよび速度でデータを受け入れ、転送先の転送タイミングおよび速度でデータを送り出す。同様にＦＩＦＯバッファメモリ６０８は、フレームメモリ６０１の画像データを出力画像としてデータ転送する時の速度変換を行う。
【００５０】
メモリコントローラ６１０は、ＣＰＵ６０５の制御なしにフレームメモリ６０１及び、ＨＤＤＣ６５０とバス間の画像の入出力をコントロールする。また、操作ボード３０１の入力装置６１４が受けたコマンドに応じて、フレームメモリ６０１を利用して、ＨＤＤＣに蓄積している画像の編集，加工あるいは画像合成を行う。メモリコントローラ６１０は、ＨＤＤＣ６５０のＨＤＤからワークメモリ６００又はフレームメモリ６０１への画像情報の読出しと、おもに画像データアドレス変更操作による、転写紙に対する画像の印刷方向の変更，画像の回転，画像の組み合わせ編集と、画像データに対する濃度変換，画像トリミングおよび合成と、このように処理した画像情報のＨＤＤへの書込みとによって、各種の画像加工および編集を行うことができる。画像の読み取り変倍は画像読み取りユニット６２４が行い、印刷変倍は画像書込みユニット６２３が行う。
【００５１】
ＣＰＵ６１７は、操作ボード６１０の入出力制御を行う。すなわち、操作ボード６１０の入力読込みおよび表示出力を制御する。ＲＯＭ６１６には、操作ボード６１０の制御プログラムが書かれている。ＲＡＭ６１８は、ＣＰＵ６１７で使用する作業用メモリである。６１４は、操作ボード６１０の入力キーおよび入力パネルを操作して使用者がシステム設定の入力を行う入力装置である。表示装置６１５は、操作ボード６１０にあって、使用者にシステムの設定内容，状態を表示するものであり、表示灯および表示パネル２４０（図５）を含む。
【００５２】
図２に示すレジストローラ４９の直前に配置された上述の無線リーダ／ライタモジュール群７０（７１，７２および７３）は、図４に示すＩ／Ｏ  １３６に接続されている。このＩ／Ｏ  １３６は、プリンタ１００内にあって作像プロセス機器の作像シーケンスを制御するプロセスコントローラ１３１に接続されている。プロセスコントローラ１３1は、ＲＡＭ１３２に書込んだ制御プログラムならびに作像プロセス機器付勢パラメータおよびタイミングデータに基づいて、作像プロセス機器を付勢しあるいは動作を設定し、動作シーケンスを制御する。
【００５３】
図５に、操作ボード６１０の上面を示す。操作ボード６１０には、複写機能を実行するための複写モードを設定する複写ボタン２０２、ファクシミリ機能を実行するためのＦＡＸモードを設定するＦＡＸボタン２０４、及びプリンタ機能を実行するためのプリンタモードを設定するプリンタボタン２０６が設けられている。また、操作ボード６１０には、複写モードにおいて複写枚数などの数値を入力するためのテンキー２０８、複写の開始を指示するスタートボタン２１０、複写枚数を訂正するときや複写動作を停止させるときなどに使用されるクリア／ストップボタン２１２、選択したモードや各種設定した条件等をすべてクリアするオールクリアボタン２１４、及び、複写倍率を設定するための倍率設定ボタン２１６が設けられている。
【００５４】
さらに、操作ボード６１０には、画像を形成したい用紙のサイズを選択設定するための用紙サイズボタン２１８、原稿台に載置された原稿のサイズを検知して自動的に用紙サイズを設定する自動用紙選択ボタン２２０、原稿サイズを設定するための原稿サイズボタン２２２、及び、用紙サイズボタン２１８によって設定された用紙サイズと検知した原稿サイズとに基づいて自動的に複写倍率を設定する自動倍率選択ボタン２２４が設けられている。これらの各種設定ボタンの他に、さらに、設定されたモードの内容や操作手順などの案内情報を表示し設定の変更入力を行うための初期設定キー２２６、予熱状態を設定する予熱ボタン２２８、プリンタ部の動作中に割り込みを指示する割り込みボタン２３０などが設けられている。そして、この操作ボード６１０の略中央には、装置の状態、操作手順、及び、ユーザに対して各種のメッセージを文字や図形で表示する報知手段として、またユーザのタッチ入力読取り機能するタッチパネル式の液晶表示装置（ＬＣＤ）によって構成された表示パネル２４０が設けられている。この表示パネル２４０は、各機能毎にその操作画面(入力画面)を表示するものである。
【００５５】
図６に、システムコントローラ６３０（のＣＰＵ６０５）の制御動作の概要を示す。自身に動作電圧が印加されるとコントローラ６３０は、出力ポ−トのクリア，ＲＡＭ６０３の初期化等を行ない（２）、操作ボード６１０の表示装置６１５の中の表示パネル２４０に「お待ち下さい！」を表示してプリントキ−の赤ランプを点灯する（ステップ１＆２）。
以下、カッコ内には、ステップという語を省略して、ステップＮｏ．数字のみを記す。
【００５６】
次にコントローラ６３０は、装置各部の状態を読み取り、異常検出を行なう（３）。以下においては、異常およびメンテ要の事項を、一括して異常等と表現する。各部状態読み取り（３）で、装置に異常又はメンテ要（用紙補充要，ユニット交換用，給紙カセット切り換え等々）があると、異常等の表示或いはメンテ要の内容をセットして表示する（５，２０）。
【００５７】
異常等が修復されて準備ル−プを抜けると異常等の表示をリセットする（６）。異常等が無かったときには、標準モ−ドにおけるコピ−処理の初期条件として、コピ−枚数：１，自動濃度，自動用紙選択，等倍を設定する（７）。そして表示装置６１５に「コピ−できます」を表示し、スタ−トキ−の赤ランプ表示に換えて緑ランプを点灯して、複写，プリントレディをセットする（８）。そして、ＨＤＤの画像メモリ領域に、出力すべき画像デ−タがあるかをチェックし（９）、無いと、ホストＰＣからの印刷コマンドおよび操作ボード６１０の入力を待つ（１０〜１３）。ここで、複写入力があると、それを読込み、入力対応の処理（複写条件の設定）を行なう（１３）。
【００５８】
「操作ボ−ド読取」（１１）でスタ−トキ−の押下を検知するとコントローラ６３０は、「コピ−出力処理」（１４）に進む（１２−１４）。原稿コピ−を終了すると、コントローラ６３０は、ステップ９〜１３のチェックを行なう。ホストＰＣから印刷コマンドを受けるとコントローラ６３０は、「Ｐ出力処理」（プリンタ出力処理）（１５）に進む（１０−１５）。プリント出力を終了すると、コントローラ６３０は、ステップ９〜１３のチェックを行なう。
【００５９】
上述の「コピ−出力処理」（１４）又は「Ｐ出力処理」（１５）を行なっているときに、他の印刷コマンドを受けたときには、コントローラ６３０は、印刷コマンドおよびプリントドキュメントデ−タをハードディスクＨＤＤに蓄積する。また、「Ｐ出力処理」（１５）を行なっているときにコピ−スタ−トキーの押下があると、ＡＤＦ４００およびスキャナ３００を駆動して原稿画像デ−タをハードディスクＨＤＤの画像メモリ領域に蓄積する。そして、現行の「コピ−出力処理」（１４）又は「Ｐ出力処理」（１５）を終えると、ハードディスクＨＤＤの蓄積デ−タを書込みが早いものから順次に読出して、「コピ−出力処理」（１４）又は「Ｐ出力処理」（１５）にて順次に印刷出力する（９−１６−１４／１５）。
【００６０】
「コピ−出力処理」（１４）又は「Ｐ出力処理」（１５）を実行している間、ならびにそれを終了し待機しているときに、プロセスコントローラ１３１が状態読取を行ない（１７）、異常等を認識すると、これをコントローラ６３０に報知する。
【００６１】
図７の（ａ）に、図６の「操作ボ−ド読取」（１１）で、システムコントローラ６３０が操作ボード６１０を用いて行う、スタ−トキ−以外のキ−が操作されたときに実行する「他のキ−の読取処理」（１３）の内容の一部を示す。入力を待っているとき、操作ボード６１０の初期設定キー２２６が押されると、操作ボード６１０の表示パネル２４０に設定メニュ−の第１頁（初期設定メニュ−Ｎｏ．０）を表示する（２１，２２）。そして操作ボード６１０へのオペレータ入力を読込む（２３）。該設定メニュ−Ｎｏ．０の中に、「用紙監視設定」の処理指定があり、それにオペレ−タがタッチすると、操作ボード６１０の表示パネル２４０に、「用紙監視設定」の入力画面を表示する（２４，２５）。この入力画面を図７の（ｂ）に示す。
【００６２】
「用紙監視設定」の入力画面には、「用紙監視」を有効にするか、無効にするかを選択指定するための項目「用紙監視」および「用紙監視を解除」があり、ユーザは、無線タグの情報読取り結果にしたがって作像（複写／印刷）をするか、あるいは禁止するかを機械が自動的に行う「用紙監視」を選択するときには、該「用紙監視」の指定ボタン（２重丸）にタッチする。これに応答して操作ボード６１０は、該指定ボタンを、指定があったことを表わす表示（２重丸の内丸を黒塗り潰し表示）とし、「用紙監視を解除」の指定ボタンは非指定を表わす表示（２重丸の内丸を白表示）とする。そして、「用紙監視」項目の内容を表わす入力ブロックの内部を、影表示から実表示に切り換える。この入力ブロック内には、「位置指定」をするか、「個数指定」をするかを指定するボタンと、各指定項目の内容詳細がある。「位置指定」の入力ボタンにタッチしてそれを指定すると、ユーザは更に、用紙上の、情報読取りを行う無線タグ位置を指定する。「位置指定」の欄には、用紙の給送方向を表わす白抜き矢印と、６個の位置表示用の丸印（Ｔｘ１１〜Ｔｘ１３，Ｔｘ２１〜Ｔｘ２３）が表示されているので、ユーザはそれらの中の所要の丸印にタッチして位置を指定する。タッチがあった位置の丸印は、指定を操作ボード６１０が認知したことを示す黒丸に表示を切り換える。なお、「位置指定」の入力ボタンにタッチがあると操作ボード６１０は、該入力ボタンの内丸を指定を表す黒丸に変更し、「個数指定」の入力ボタンの内丸は、非指定をあらわす白丸とする。
【００６３】
「個数指定」の入力ボタンにユーザのタッチがあったときには、操作ボード６１０は、「個数指定」の入力ボタンの内丸を黒丸表示とし、「位置指定」の入力ボタンの内丸およびその項目の６個の位置指定用の丸を白丸表示にする。「個数指定」の入力ボタンにユーザのタッチがあったときには、その項目内の「紙送り直交方向（ｘ）」および「紙送り方向（ｙ）の各個数枠に「０」を表記し、アップボタンにタッチがあると、個数枠の数値を大きくしダウンボタンにタッチがあると小さくするが、「紙送り直交方向（ｘ）」の数値範囲は０〜３、「紙送り方向（ｙ）」の数値範囲は０〜２に制限している。
【００６４】
ユーザが「設定」ボタンにタッチすると、このときの表示パネル２４０に表示している設定状態データを操作ボード６１０がシステムコントローラ６３０に与える。システムコントローラ６３０がこれらの情報を、プロセスコントローラ１３１を介して不揮発メモリ１３３ｂの登録テーブルの無線タグ監視レジスタに更新登録する（２６）。そして表示パネル２４０に、「無線タグ用紙の供給を設定してスタートキーをオンして下さい！！」を表示する。ユーザがスタートキー２１０を操作すると、これに応答してシステムコントローラ６３０は、「無線タグの読取り登録」をプロセスコントローラ１３１に指示する。これに応答してプロセスコントローラ１３１は、給紙に定められているカセットから用紙の送給を開始し、該用紙の先端が無線リーダ／ライタモジュール群７０（７１，７２および７３）に到達するタイミングでモジュール群７０に無線タグ情報読取り指示を与え、読取りに成功するとプロセスコントローラ１３１は、無線タグのＩＤ（用紙ＩＤコード）を不揮発メモリ１３３ｂの登録テーブルの無線タグ監視レジスタに更新登録する（２７）。先端の無線タグの読取りに失敗すると、用紙の送り方向の中央点が無線リーダ／ライタモジュール群７０に到達するタイミングでモジュール群７０に無線タグ情報読取り指示を与える。中央点の無線タグの読取りに失敗すると、用紙の尾端が無線リーダ／ライタモジュール群７０に到達するタイミングでモジュール群７０に無線タグ情報読取り指示を与える。その読取りにも失敗すると表示パネル２４０にエラー表示と、用紙を確認して再度スタート指示入力を促す催告の表示を行う。
【００６５】
無線タグの読み取りに成功して、プロセスコントローラ１３１が無線タグのＩＤ（用紙ＩＤコード）を不揮発メモリ１３３ｂに登録すると、システムコントローラ６３０は、表示パネル２４０の表示を初期設定メニュー画面に戻す。「用紙監視設定」の入力画面上の「クリア」ボタンにタッチがあったときには、操作ボード６１０は、直前の入力（タッチ）をキャンセルした表示に戻し、「戻る」ボタンにタッチがあると操作ボード６１０は、「用紙監視設定」の入力画面を表示する前の表示画面に、表示パネル２４０の表示を変更する。
【００６６】
図８に、プロセスコントローラ１３１の制御動作の概要を示す。自身に動作電圧が印加されるとコントローラ１３１は、出力ポ−トのクリア，ＲＡＭ１３２の初期化等を行ない（３１）、プリンタ内の「各部状態読み取り」（３２）を行う。ここでシステムコントローラ６３０からコピー条件やプリント条件が与えられると、それをＲＡＭ１３２にセーブし、プリンタ内の機構あるいは回路を、与えられた条件に設定する。プリンタ内に異常またはメンテ要（異常等）が有るとそれをシステムコントローラ６３０に報知して、操作ボード６１０に表示する（３３，３４，３５）。異常等が無いと、あるいは異常等がなくなると、レディをシステムコントローラ６３０に報知して異常等の表示は消去し（３６，３７）、システムコントローラ６３０から、印刷指令（コピースタート／プリントスタート）が到来するのを待つ（３８）。
【００６７】
印刷指令が到来するとプロセスコントローラ１３１は、不揮発メモリ１３３ｂの登録テーブルの無線タグ監視レジスタの登録情報を参照して、無線タグ監視レジスタのデータが「用紙監視を解除」であるときには、システムコントローラ６３０から指定された条件のコピープロセス又はプリントプロセスの制御を実行し（３９−４１，４２）、プリンタ内の「各部状態読み取り」（４８）を行い、異常が無ければ、設定枚数のコピー又は印刷を行う。無線タグの情報読取りは行わない。
【００６８】
不揮発メモリ１３３ｂの登録テーブルの無線タグ監視レジスタの登録情報が「用紙監視」であると、プロセスコントローラ１３１は、該無線タグ監視レジスタの登録情報に基づいて、また、給紙に指定された用紙サイズに基づいて、無線タグの情報読み取りタイミングを算定して該タイミングでの無線タグ読取りイベント（無線リーダ／ライタモジュール群７０（７１〜７３）に対するタグ読取りのポーリング）を、イベントタイマ（プロセスコントローラ１３１内のタイマ）に設定する（４０）。そして指定サイズの一枚の用紙の送給を開始し、イベントタイマをスタートして（４１）、作像プロセスを開始する（４２）。無線タグの情報読み取りタイミングになる度にイベントタイマがタイムオーバしこれに応答してプロセスコントローラ１３１は無線リーダ／ライタモジュール７１〜７３に無線タグ読取りと読み取り情報の転送を指示する。無線リーダ／ライタモジュール７１〜７３はこれに応答して無線タグ読み取りを行い、読取り情報（タグ読取り不成功を含む）をプロセスコントローラ１３１に送信し、プロセスコントローラ１３１は、各タイミングおよび各モジュール７１〜７３宛てに、受信した読み取り情報を内部レジスタに格納する。そして、無線タグ読取りの最後のタイミングの読み取り情報を内部レジスタに格納するとプロセスコントローラ１３１は、内部レジスタの読み取り情報が、不揮発メモリ１３３ｂの無線タグ監視レジスタの登録情報によって規定される位置に無線タグがあることを表すものであり、又は、登録情報によって規定される個数の無線タグがあることを表すものであり、しかも読取った無線タグのＩＤ（用紙ＩＤコード）が、不揮発メモリ１３３ｂの登録テーブルの無線タグ監視レジスタに登録されているＩＤと合致すると、印刷（作像プロセス）を続行して一枚の用紙に対する画像形成を行う（４３〜４７）。
【００６９】
所定位置又は個数の無線タグの読取りができなかったとき、あるいは読取りが出来ても読取ったＩＤが無線タグ監視レジスタに登録されているＩＤとは異なるときには、プロセスコントローラ１３１は、そこで作像を停止して、排紙のための用紙搬送をして、画像形成をしなかった用紙を機外に排出する（４５）。そして表示パネル２４０には、用紙が指定のものとは異なることを表わす用紙エラーを表示する（３５）。
【００７０】
適正なＩＤを読み取って一枚の用紙の画像形成を終えたときには、プリンタ内の「各部状態読み取り」（４８）を行う。各部が正常であると、設定枚数の印刷を完了したかをチェックして（４９，５１）、未完であると、もう一枚の用紙の送給を開始して（４１）、作像プロセスを開始する（４２）。設定枚数の印刷を完了すると、ステップ３２の各部状態読み取りに戻り、各部が正常（レディ）であるとすなわち異常等がないと、「各部状態読み取り」（３２）で、システムコントローラ６３０から印刷命令が到来するのを待ち、その間操作ボード６１０の入力，プリンタの前カバーの開閉などの変化があると、それに対応した処理を行う。
【図面の簡単な説明】
【００７１】
【図１】本発明の１実施例の複合機能があるカラー複写機の外観を示す正面図である。
【図２】図１に示す複写機の機構概要を示す縦断面図である。
【図３】図１に示す複写機で、無線タグ用紙使用モードで使用するに適した無線タグ付き用紙の平面図であり、（ａ）および（ｃ）はＡ４版用紙を、（ｂ）および（ｄ）はＡ３版用紙を示す。
【図４】図１に示す複写機の画像処理システムの概要を示すブロック図である。
【図５】図１に示す操作ボード６１０の拡大平面図である。
【図６】図４に示すシステムコントローラ６３０の、システム制御の概要を示すフローチャートである。
【図７】（ａ）は、図６に示す「他のキーの読取処理」（１３）の中で実行する用紙監視設定の概要を示すフローチャートである。（ｂ）は、用紙監視設定の入力画面を示す平面図である。
【図８】図４に示すプロセスコントローラ１３１の、印刷制御の概要を示すフローチャートである。
【符号の説明】
【００７２】
１０：中間転写ベルト  １４〜１６：支持ローラ
１７：中間転写体クリーニング装置
１８：作像関連機器    ２０：作像装置
２１：レーザ露光装置  ２２：２次転写装置
２３：ローラ          ２４：２次転写ベルト
２５：定着装置        ２６：定着ベルト
２７：加圧ローラ      ２８：シート反転装置
３０：リーダ／ライタモジュール
３２：コンタクトガラス
３３：第１キャリッジ  ３４：第２キャリッジ
３５：結像レンズ      ３６：ＣＣＤ
４０：感光体ドラム    ４２：給紙ローラ
４３：ペーパーバンク  ４４：給紙カセット
４５：分離ローラ      ４６：給紙路
４７：搬送ローラ      ４８：給紙路
４９：レジストローラ  ５０：給紙ローラ
５１：手差しトレイ    ５５：切換爪
５６：排出ローラ      ５７：排紙トレイ
７０：リーダ／ライタモジュール群
７１〜７３：リーダ／ライタモジュール
【図１】
2005208098.tif 000003
【図２】
2005208098.tif 000004
【図３】
2005208098.tif 000005
【図４】
2005208098.tif 000006
【図５】
2005208098.tif 000007
【図６】
2005208098.tif 000008
【図７】
2005208098.tif 000009
【図８】
2005208098.tif 000010